(57)【特許請求の範囲】
【請求項１】
載置面に第１摩擦部材を備え、記録媒体が前記載置面に載置される載置部材と、
記録媒体に接触して回転することで該記録媒体を送り出す給送用ローラーと、
前記載置部材に載置されている記録媒体を前記給送用ローラーに対して相対的に押し付ける押付機構と、
前記載置部材上の記録媒体についてのラスト一枚に対応する情報に基づいて前記第１摩擦部材を該第１摩擦部材より摩擦係数の小さい第２摩擦部材に換える摩擦部材切換え機構と、
前記摩擦部材切換え機構の動作を制御し、ラスト一枚に対応する情報を得たときに前記摩擦部材切換え機構を駆動させて前記第１摩擦部材を前記第２摩擦部材に切り換える制御部と、を備え、
前記制御部は、記録媒体の種類の情報と前記載置部材に載置されている記録媒体の枚数情報とを用いて前記摩擦部材切換え機構を駆動させる第２制御モードを備えていることを特徴とする給送装置。
【請求項２】
請求項１に記載された給送装置において、
前記制御部は、前記ラスト一枚に対応する情報として、前記給送用ローラーが前記第１摩擦部材によって給送動作を行ったが記録媒体が送られていないというノンフィードの情報を用いて前記摩擦部材切換え機構を駆動させる第１制御モードを備え、
前記第１制御モードは、記録媒体の種類の情報がない場合に実行されることを特徴とする給送装置。
【請求項３】
請求項２に記載された給送装置において、
該制御部は、前記第１制御モードと前記第２制御モードは切り換えて実行可能であることを特徴とする給送装置。
【請求項４】
記録媒体にインクを吐出して記録を実行する記録実行部と、
前記記録実行部に向けて記録媒体を送り出す請求項１から３のいずれか一項に記載されている給送装置と、を備える記録装置。
【発明の詳細な説明】
【技術分野】
【０００１】
本発明は、載置面に第１摩擦部材を備え、記録媒体が前記載置面に載置される載置部材と、記録媒体に接触して回転することで該記録媒体を送り出す給送用ローラーと、前記載置部材に載置されている記録媒体を前記給送用ローラーに対して相対的に押し付ける押付機構とを備える給送装置及び該給送装置を備える記録装置に関するものである。
【背景技術】
【０００２】
インクジェット記録装置等の記録装置用の記録媒体には多くの種類がある。最近、光沢年賀はがき等のように、両面印刷可能で、表裏で摩擦係数が異なり、光沢面側の摩擦係数が普通紙に比べて相当大きいものが登場している。このような摩擦係数の大きな記録媒体を、光沢面側を給送装置の載置面に向けて置いた場合、該載置面に設けられている摩擦部材と記録媒体（光沢面）との間の摩擦係数が、給送装置が想定している摩擦係数よりも大きくなり、ラスト一枚の記録媒体について給送用ローラーによる給送ができないノンフィードの問題が生じている。
【０００３】
下記特許文献１には、光沢年賀はがきのような紙種に対して、前記光沢面に基づく重送を防止するという課題の下で、載置部材の摩擦部材を摩擦係数の大きいものに切り換えて対応する構成のシート搬送装置が開示されている。
【先行技術文献】
【特許文献】
【０００４】
【特許文献１】特開２００９−７１３６号公報
【発明の概要】
【発明が解決しようとする課題】
【０００５】
しかし、特許文献１に記載されているシート搬送装置は、サイドガイドの移動によって摩擦部材を換える構成であるので、特定のサイズの用紙にしか対応できず、サイズが同じで摩擦係数が異なる用紙、サイズが異なるが摩擦係数はほぼ同じ用紙等に対しては対応不可能の問題があった。  
また、具体的にはラスト一枚ではなくラスト数枚の状態における用紙の重送の問題を解決することだけが記載され、ラスト一枚のノンフィードの問題については記載も示唆もされていない。
【０００６】
◆◆◆  目的  ◆◆◆
本発明は、特定のサイズの記録媒体に限定されることなく、ラスト一枚の記録媒体の送り出しにおけるノンフィードの発生を低減することを目的とする。
【課題を解決するための手段】
【０００７】
本発明の第１の態様に係る給送装置は、載置面に第１摩擦部材を備え、記録媒体が前記載置面に載置される載置部材と、記録媒体に接触して回転することで該記録媒体を送り出す給送用ローラーと、前記載置部材に載置されている記録媒体を前記給送用ローラーに対して相対的に押し付ける押付機構と、前記載置部材上の記録媒体についてのラスト一枚に対応する情報に基づいて前記第１摩擦部材を該第１摩擦部材より摩擦係数の小さい第２摩擦部材に換える摩擦部材切換え機構とを備える。
【０００８】
◆◆◆  作用の説明  ◆◆◆
給送装置を成す給送用ローラー及び載置部材に設けられている摩擦部材の各摩擦係数は、給送用ローラーと記録媒体との間の摩擦係数をμ１、記録媒体同士の摩擦係数をμ２、記録媒体と当該摩擦部材との間の摩擦係数をμ３とすると、μ１＞μ２＜μ３で、且つμ１＞μ３を満たすように設定される。摩擦係数μ１及びμ３は、その素材を変えることによりその大きさを変えることは可能である。  
しかし、例えば摩擦係数μ１を更に大きくするために給送用ローラーの素材を変えると、通常その素材から製造時に素材中に含まれた溶剤の影響が出る傾向が増して、記録媒体に接触痕を残す別の問題が生じることが多い。  
また、摩擦係数μ３は、μ２＜μ３で、且つμ１＞μ３を満たす条件の下では、変更できる範囲は広くないのが現状である。摩擦係数μ３を必要値以下に小さくすると上下傾斜姿勢で記録媒体を積層して載置する構造の給送装置においては、前記傾斜姿勢を維持することが難しくなり、下方に総崩れする虞が増す問題が出てくる。また水平状態で載置される構造の給送装置であっても、積層状態が安定せず、全体としてバラケル傾向が出てくる。  
従って、固定された摩擦係数の素材の組合せで、本発明の上記目的を達成することは簡単ではないと言える。  
本態様によれば、摩擦部材切換え機構によって、前記載置部材上の記録媒体についてのラスト一枚に対応する情報に基づいて前記第１摩擦部材を該第１摩擦部材より摩擦係数の小さい第２摩擦部材に換えることができる。従って、特定のサイズの記録媒体に限定されることなく、ラスト一枚の記録媒体の送り出しにおけるノンフィードの発生を低減することができる。  
尚、この摩擦部材の切り換えは、ユーザーがマニュアル操作で行う構造と、自動で行う構造のいずれも可能である。
【０００９】
本発明の第２の態様に係る給送装置は、前記第１の態様において、前記摩擦部材切換え機構の動作を制御する制御部を備え、該制御部は、ラスト一枚に対応する情報を得たときに前記摩擦部材切換え機構を駆動させて前記第１摩擦部材を前記第２摩擦部材に切り換えることを特徴とする。
【００１０】
本態様によれば、制御部がラスト一枚に対応する情報を得たときに自動的に摩擦部材が切り換わるので、ユーザーの手を煩わせることなく、ユーザーフレンドリーである。
【００１１】
本発明の第３の態様に係る給送装置は、前記第２の態様において、前記制御部は、前記ラスト一枚に対応する情報として、前記給送用ローラーが前記第１摩擦部材によって給送動作を行ったが記録媒体が送られていないというノンフィードの情報を用いて前記摩擦部材切換え機構を駆動させる第１制御モードを備えていることを特徴とする。
【００１２】
◆◆◆  作用の説明  ◆◆◆
載置部材に載置されている記録媒体がラスト一枚になったとき、摩擦係数μ１＞μ３の条件を満たすことができない記録媒体である場合は、給送用ローラーで送り出すことができないのでノンフィードとなる。このノンフィードが検知されると、通常もう一度給送用ローラーを回転させて記録媒体に送り力を作用するリトライ動作（この制御を「リトライ制御モード」という）が実行される。  
摩擦係数μ１＞μ３の条件を満たすことができない記録媒体であるので、リトライ動作を実行してもノンフィードは変らない。  
本態様の第１制御モードによれば、このノンフィードの情報を、ラスト一枚であると見なすので、載置部材に残っている記録媒体がラスト一枚の状態になったことを専用のセンサー無しで簡単に検知することができる。従って、構造簡単にして、ラスト一枚の記録媒体の送り出しにおけるノンフィードの発生を低減することができる。  
更に本態様によれば、後述する記録媒体の種類についての情報も枚数情報も不要であり、制御構造を単純化することができる。  
また、記録媒体の種類が原因のノンフィードとは別に、給送用ローラーの経時的な摩擦係数の低下に基づくラスト一枚のノンフィードに対しても自動的に対応して、同様にノンフィードの発生を低減することができる。
【００１３】
本発明の第４の態様に係る給送装置は、前記第２の態様において、前記制御部は、記録媒体の種類の情報と前記載置部材に載置されている記録媒体の枚数情報とを用いて前記摩擦部材切換え機構を駆動させる第２制御モードを備えていることを特徴とする。
【００１４】
記録装置においては、記録実行のための記録データとして画像データの他に、記録媒体の種類、記録実行面が表裏のいずれであるか、セット枚数等の記録媒体についての情報を、パソコン等のコンピューター等から制御部に送ることが可能である。記録媒体についての前記各情報は、その全てを或いは一部を専用のセンサーで検出して得ることも可能である。  
本態様の第２制御モードによれば、記録媒体についての前記各情報に基づいて前記摩擦部材切換え機構を駆動させるので、ラスト一枚のタイミングも摩擦部材の切り換えの要否も予め決めて対応することができる。
【００１５】
本発明の第５の態様に係る給送装置は、第４の態様において、該制御部は、前記第３の態様に記載された第１制御モードを備え、該第１制御モードと前記第２制御モードは切り換えて実行可能であることを特徴とする。
【００１６】
本態様によれば、第１制御モードと第２制御モードを切り換えて実行できるので、記録媒体についての具体的な情報がない記録媒体については第１制御モードを選択すれば、ラスト一枚のノンフィードの発生を低減することができる。また、記録媒体についての情報がある場合は、その情報を用いて第２制御モードを選択すれば、第１制御モードと違ってラスト一枚のノンフィード工程を省くことができる。
【００１７】
本発明の第６の態様に係る記録装置は、記録媒体にインクを吐出して記録を実行する記録実行部と、前記記録実行部に向けて記録媒体を送り出す第１の態様から第５の態様のいずれか一つの態様に記載されている給送装置とを備える。  
本態様によれば、記録装置として前記各態様の効果と同様の効果が得られる。
【図面の簡単な説明】
【００１８】
【図１】本発明の実施例１に係る給送装置を備えるインクジェット記録装置の概略構成を示す前面側からの斜視図。
【図２】同実施例１に係る給送装置の後面側からの斜視図。
【図３】同実施例１に係る給送装置の中央部縦断の前面側からの斜視図。
【図４】同実施例１に係る給送装置の中央部縦断の後面側からの斜視図。
【図５】同実施例１に係る給送装置の載置部材の前面側からの斜視図。
【図６】同実施例１に係る給送装置の載置部材の前面側からの斜視図。
【図７】同実施例１に係る給送装置の載置部材の後面側からの斜視図。
【図８】本発明の実施例２に係る給送装置を備えるインクジェット記録装置の概略構成を示す前面側からの斜視図。
【図９】本発明の実施例３に係る給送装置を備えるインクジェット記録装置の概略構成を示す前面側からの斜視図。
【発明を実施するための形態】
【００１９】
◆◆◆  実施例１  ◆◆◆（図１−図７）
図１及び図２に示すように、本実施例に係るインクジェット記録装置１は、記録媒体にインクを吐出して記録を実行する記録実行部２と、前記記録実行部２に向けて記録媒体を送り出す給送装置３とを備えている。
【００２０】
本実施例に係る給送装置３は、載置面４に第１摩擦部材５を備え、記録媒体が前記載置面４に載置される載置部材６と、記録媒体に接触して回転することで該記録媒体を送り出す給送用ローラー７と、前記載置部材６に載置されている記録媒体を前記給送用ローラー７に対して相対的に押し付ける公知の押付機構８とを備えている。  
そして、前記載置部材６上の記録媒体についてのラスト一枚に対応する情報に基づいて前記第１摩擦部材５を該第１摩擦部材５より摩擦係数の小さい第２摩擦部材９に換える摩擦部材切換え機構１０とを備える。
【００２１】
本実施例に係る給送装置３は、上下傾斜姿勢で記録媒体を積層して載置する構造のものである。該給送装置３は、本体１１に載置部材６が上端部を支点１２，１３として下端側が揺動可能に取り付けられている。該載置部材６の載置面４にサイドガイド２１、２２が幅方向にスライド可能に設けられている。また、前記押付機構８は、給送用ローラー７は位置が固定で、載置部材６側が揺動して記録媒体を該給送用ローラー７に対してに押し付けるように構成されている。  
該載置部材６の下端側の上面の幅方向における中央部に、前記第１摩擦部材５及び第２摩擦部材９が設けられている。第１摩擦部材５と第２摩擦部材９は一体の一枚のコルク状の板部材で形成されており、左右の一端側が第１摩擦部材５、他端側が第２摩擦部材９になっている。  
図１において、符号２０は第１摩擦部材５及び第２摩擦部材９を設けるための平坦な凹部である。該凹部２０は第１摩擦部材５と第２摩擦部材９が横方向にスライドして位置が切り換わることができる長さに形成されている。
【００２２】
前記摩擦部材切換え機構１０は、図２に示したように、前記本体１１の裏側に設けられている。本実施例の摩擦部材切換え機構１０は、ソレノイド１４とアーム１５とを備え、該アーム１５の先端が前記第１摩擦部材５及び第２摩擦部材９のベース部１６に連結されている。そして、ソレノイド１４が作動することで前記第１摩擦部材５が前記凹部２０をスライドし、第２摩擦部材９が給送用ローラー７と対向する位置に移動する。  
図５が第１摩擦部材５が給送用ローラー７と対向する位置にある状態、図６が第２摩擦部材９が給送用ローラー７と対向する位置にある状態を示している。
【００２３】
本実施例に係る給送装置３は、前記摩擦部材切換え機構１０の動作を制御する制御部１７を備えている。該制御部１７は、記録媒体についてラスト一枚に対応する情報を得たときに前記摩擦部材切換え機構１０を駆動させて前記第１摩擦部材５を前記第２摩擦部材９に切り換える。  
また、制御部１７はインクジェット記録装置１の全体の動作を制御している。具体的には、記録実行部２、給送用ローラー７及び搬送用ローラー（図示せず）の動力源である第１モーター１８及び前記ソレノイド１４、更にその他の駆動部（説明を省略）の動作を制御する。
【００２４】
本実施例においては、前記制御部１７は、前記ラスト一枚に対応する情報として、前記給送用ローラー７が前記第１摩擦部材５によって給送動作を行ったが記録媒体が送られていないというノンフィードの情報を用いて前記摩擦部材切換え機構１０を駆動させる第１制御モード２３を備えている。
【００２５】
次に、作用を説明する。  
本実施例によれば、摩擦部材切換え機構１０によって、前記載置部材６上の記録媒体についてのラスト一枚に対応する情報に基づいて前記第１摩擦部材５を該第１摩擦部材５より摩擦係数の小さい第２摩擦部材９に換えることができる。従って、特定のサイズの記録媒体に限定されることなく、ラスト一枚の記録媒体の送り出しにおけるノンフィードの発生を低減することができる。
【００２６】
また、載置部材６に載置されている記録媒体がラスト一枚になったとき、前記摩擦係数μ１＞μ３の条件を満たすことができない記録媒体である場合は、給送用ローラー７で送り出すことができないのでノンフィードとなる。このノンフィードが検知されると、通常もう一度給送用ローラー７を回転させて記録媒体に送り力を作用するリトライ動作が実行される。  
摩擦係数μ１＞μ３の条件を満たすことができない記録媒体であるので、リトライ動作を実行してもノンフィードは変らない。  
本実施例によれば、このノンフィードの情報を、ラスト一枚であると見なすので、載置部材６に残っている記録媒体がラスト一枚の状態になったことを専用のセンサー無しで簡単に検知することができる。従って、構造簡単にして、ラスト一枚の記録媒体の送り出しにおけるノンフィードの発生を低減することができる。  
また、本実施例によれば、記録媒体の種類が原因のノンフィードとは別に、給送用ローラー７の経時的な摩擦係数の低下に基づくラスト一枚のノンフィードに対しても自動的に対応して、同様にノンフィードの発生を低減することができる。
【００２７】
◆◆◆  実施例２  ◆◆◆（図８）
図８は、本発明の実施例２に係る給送装置を備えるインクジェット記録装置の概略構成を示す前面側からの斜視図である。  
本実施例２では、前記制御部１７は、記録媒体の種類の情報と前記載置部材に載置されている記録媒体の枚数情報とを用いて前記摩擦部材切換え機構１０を駆動させる第２制御モード２４を備えている。
【００２８】
そして、記録実行のための記録データとして画像データの他に、記録媒体の種類、記録実行面が表裏のいずれであるか、セット枚数等の記録媒体についての情報を、パソコン等のコンピューター２５から制御部１７に送ることが可能に構成されている。尚、記録媒体についての前記各情報は、その全てを或いは一部を専用のセンサーで検出して得る構成にすることも可能である。
【００２９】
本実施例の第２制御モードによれば、記録媒体についての前記各情報に基づいて前記摩擦部材切換え機構１０を駆動させるので、ラスト一枚のタイミングも摩擦部材の切り換えの要否も予め決めて対応することができる。
【００３０】
◆◆◆  実施例３  ◆◆◆（図９）
図９は、本発明の実施例３に係る給送装置を備えるインクジェット記録装置の概略構成を示す前面側からの斜視図である。  
本実施例３では、該制御部１７は、前記第１制御モード２３と前記第２制御モード２４の両方を備え、第１制御モード２３と前記第２制御モード２４を切り換えて実行可能に構成されている。
【００３１】
本実施例によれば、第１制御モード２３と第２制御モード２４を切り換えて実行できるので、記録媒体についての具体的な情報がない記録媒体については第１制御モード２３を選択すれば、ラスト一枚のノンフィードの発生を低減することができる。また、記録媒体についての情報がある場合は、その情報を用いて第２制御モード２４を選択すれば、第１制御モード２３と違ってラスト一枚のノンフィード工程を省くことができる。
【００３２】
◆◆◆  他の実施例  ◆◆◆
本発明に係る給送装置３及びインクジェット記録装置１は、以上述べたような構成を有することを基本とするものであるが、本願発明の要旨を逸脱しない範囲内の部分的構成の変更や省略等を行うことも勿論可能である。  
【００３３】
前記実施例の摩擦部材切換え機構１０は、ソレノイド１４を用いたが、これに限定されない。例えば、電動構造ではなく、ばねと各機構を用いて機械的に切り換わる構造にしてもよい。
【００３４】
また押付機構８は、給送用ローラー７側を載置部材６の載置面４に接離させて動作させる構造であってもよい。
【００３５】
第１摩擦部材５と第２摩擦部材９も前記実施例の構造に限定されない。例えば、第１摩擦部材５に対してシャッターを設けて該シャッターの開閉で切り換えを行うようにしてもよい。
【符号の説明】
【００３６】
１  インクジェット記録装置、２  記録実行部、３  給送装置、４  載置面、
５  第１摩擦部材、６  載置部材、７  給送用ローラー、
８  押付機構、９  第２摩擦部材、１０  摩擦部材切換え機構、
１１  本体、１２  支点、１３  支店、
１４  ソレノイド、１５  アーム、１６  ベース部、
１７  制御部、１８  第１モーター、２０  凹部、２１  サイドガイド
２２  サイドガイド、２３  第１制御モード、２４  第２制御モード、
２５  コンピューター
【図１】
0006031788.tif 000002
【図２】
0006031788.tif 000003
【図３】
0006031788.tif 000004
【図４】
0006031788.tif 000005
【図５】
0006031788.tif 000006
【図６】
0006031788.tif 000007
【図７】
0006031788.tif 000008
【図８】
0006031788.tif 000009
【図９】
0006031788.tif 000010